(57)【特許請求の範囲】
【請求項１】
小便を受ける受け部本体と、上端部に当該受け部本体を取り付ける筒状体とで少なくとも構成し、
災害時用マンホールに前記筒状体の下端部を差し込んで使用される仮設トイレであって、
前記受け部本体は、展開形状が略縦長楕円形となる可撓性の板材からなり、下端左右に鍔部と鍔受け部とが設けられており、
前記鍔部を前記鍔受け部に重ね合わせ、漏斗状に形成されてなることを特徴とする仮設トイレ。
【請求項２】
前記筒状体には、中央に流入孔が穿設される上側蓋部材と、当該上側蓋部材に上端が取り付けられる球受け筒と、当該球受け筒の下端に取り付けられ、前記上側蓋部材より外径の小さい下側蓋部材と、前記球受け筒内に載置される止水球と、で少なくとも構成される逆流防止機構が設けられており、
前記球受け筒には、前記止水球より上方の内周に亘って突出する弁が設けられると共に、その下方には排水孔が穿設されており、
前記球受け筒内に尿が流入して水位が上昇すると、前記止水球が浮き上がり、前記止水球で前記弁が閉塞され、
前記流入孔と前記止水球との間に尿が溜まると、前記止水球が押し下げられて、この尿が前記球受け筒内に流入し、前記排水孔から前記球受け筒外に流下することを特徴とする請求項１に記載の仮設トイレ。
【請求項３】
前記筒状体外周には、前記災害時用マンホールに係止し、前記仮設トイレを所定の高さに設置可能とするストッパが設けられることを特徴とする請求項１又は２に記載の仮設トイレ。
【発明の詳細な説明】
【技術分野】
【０００１】
本発明は、地震や火災等の震災発生時に避難場所に設けられる仮設トイレに関するものである。
【背景技術】
【０００２】
従来より、震災発生時に避難場所に設けられる仮設トイレとしては、災害時用マンホールに設置し、この災害時用マンホールを閉塞する底基板上に、複数の仕切パネルを略放射状に立設し、隣接する仕切パネル間に小便器をそれぞれ配置したものが知られている（特許文献１）。
【先行技術文献】
【特許文献】
【０００３】
【特許文献１】特開２０１５−６２４８０号公報
【発明の概要】
【発明が解決しようとする課題】
【０００４】
しかしながら、このような仮設トイレでは、仕切パネルを立設することや、この仕切パネルに小便器の高さを調整する係止具が設けられることから、仮設トイレの設置や撤去、清掃作業が面倒であり、防臭機能を備えていないことから不衛生であった。
【０００５】
そこで、本発明の目的は、上記従来の仮設トイレの問題を解消し、災害時用マンホールへの設置や撤去、清掃作業が容易な仮設トイレを提供することにある。
【課題を解決するための手段】
【０００６】
本発明のうち、請求項１に記載された発明は、小便を受ける受け部本体と、上端部に当該受け部本体を取り付ける筒状体とで少なくとも構成し、
災害時用マンホールに前記筒状体の下端部を差し込んで使用される仮設トイレであって、
前記受け部本体は、展開形状が略縦長楕円形となる可撓性の板材からなり、下端左右に鍔部と鍔受け部とが設けられており、
前記鍔部を前記鍔受け部に重ね合わせ、漏斗状に形成されてなることを特徴とするものである。
【０００７】
請求項２に記載された発明は、請求項１に記載の発明に加え、前記筒状体には、中央に流入孔が穿設される上側蓋部材と、当該上側蓋部材に上端が取り付けられる球受け筒と、当該球受け筒の下端に取り付けられ、前記上側蓋部材より外径の小さい下側蓋部材と、前記球受け筒内に載置される止水球と、で少なくとも構成される逆流防止機構が設けられており、
前記球受け筒には、前記止水球より上方の内周に亘って突出する弁が設けられると共に、その下方には排水孔が穿設されており、
前記球受け筒内に尿が流入して水位が上昇すると、前記止水球が浮き上がり、前記止水球で前記弁が閉塞され、
前記流入孔と前記止水球との間に尿が溜まると、前記止水球が押し下げられて、この尿が前記球受け筒内に流入し、前記排水孔から前記球受け筒外に流下することを特徴とするものである。
【０００８】
請求項３に記載された発明は、請求項１又は２に記載の発明に加え、前記筒状体外周には、前記災害時用マンホールに係止し、前記仮設トイレを所定の高さに設置可能とするストッパが設けられることを特徴とするものである。
【発明の効果】
【０００９】
請求項１に記載された発明は、仕切パネルや係止具が不要であり、設置や撤去、清掃作業が容易である。また、組み立てや分解が簡単であり、保管時には場所を取らない。
【００１０】
請求項２に記載された発明は、尿の逆流を防止すると共に防臭機能を備えており、非常に衛生的である。
【００１１】
請求項３に記載された発明は、仮設トイレを所定の高さに設置することが可能である。
【図面の簡単な説明】
【００１２】
【図１】仮設トイレが災害時用マンホールに設置された状態を示す説明図である。
【図２】仮設トイレの地中内を示す説明図である。
【図３】受け部本体の組立前の状態を示す説明図である。
【図４】（ａ）は尿が球受け筒内に溜まる前の状態を示し、（ｂ）は止水球が浮き上がった状態を示す説明図である。
【図５】（ａ）は尿が上側蓋部材内に溜まる状態を示し、（ｂ）は尿の自重で止水球が押し下げられる状態を示す説明図である。
【発明を実施するための形態】
【００１３】
以下、本発明の仮設トイレの一実施形態について、図面に基づいて詳細に説明する。
図１は、仮設トイレが災害時用マンホールに設置された状態を示す説明図である。図２は、仮設トイレの地中内を示す説明図である。図３は、受け部本体の組立前の状態を示す説明図である。図４は、尿が球受け筒内に溜まり、止水球が浮き上がるまでの状態を示す説明図である。図５は、尿が上側蓋部材内に溜まった後、自重で止水球が押し下げられる状態を示す説明図である。
【００１４】
先ず初めに、図１に示すように、仮設トイレ１は、災害時に使用される災害時用マンホール２０の設置枠２１内に設置し、使用者が受け部本体２内に小便をすると、尿４０が下水に流れる構造である。そして、図２に示すように、小便を受ける受け部本体２と、ソケット１０と、上端部にこのソケット１０を取り付ける筒状体１５と、仮設トイレ１を所定の高さに保持するストッパ１６と、筒状体１５の下端に取り付けられ、設置枠２１内の排泄孔２２と筒状体１５との間を閉塞するゴム製の外筒３９とで構成される。
【００１５】
このうち、図２に示すように、受け部本体２は、展開形状が略縦長楕円形となる塩化ビニール製で、厚みが約１．５ｍｍの板材からなり、図３に示すように、下端左右に鍔部３と鍔受け部５とが設けられており、鍔部３には、孔４，４・・が端部に穿設されており、鍔受け部５の端部にも、この鍔受け部５側に鍔部３側を重ねると、孔４，４・・と同じ位置に孔６，６・・が穿設されている。
【００１６】
次に、図４（ａ）に示すように、筒状体１５には、中央に流入孔３２が穿設される上側蓋部材３１と、この上側蓋部材３１に上端が取り付けられる球受け筒３４と、球受け筒３４の下端に取り付けられ、上側蓋部材３１より外径の小さい下側蓋部材３７と、球受け筒３４内に載置される止水球３３と、で構成される逆流防止機構３０が設けられている。
このうち、球受け筒３４には、外周に凹状の首部３８が形成されており、この首部３８の下方には、排水孔３５，３５・・が四方に穿設されている。また、首部３８の内周側に亘って弁３６が設けられている。
【００１７】
このようにして構成される仮設トイレ１は、以下のように組み立てられる。
まず初めに、図３に示す略縦長楕円形となる受け部本体２の鍔受け部５に、鍔部３を曲げて重ね合わせる。この時、鍔受け部５に設けられている孔６，６・・と、鍔部３に設けられている孔４，４・・とが重なる状態にし、孔４，４・・と孔６，６・・とに蝶ネジ８，８・・を外側から挿入して、裏側から図示しないナットを螺合することで、受け部本体２を漏斗状に形成する。そして、受け部本体２の下端を、ソケット１０の一方の端部に差し込み、図示しないボルトで固定する。
【００１８】
他にも、図４（ａ）に示すように、球受け筒３４の下端に下側蓋部材３７を取り付け、球受け筒３４内に止水球３３を載置した後、球受け筒３４の上端を上側蓋部材３１の流入孔３２に取り付けると、逆流防止機構３０が組み立てられる。そして、上側蓋部材３１を筒状体１５の下端側内壁に取り付けると、逆流防止機構３０が筒状体１５に固定されることとなる。
その後、図２に示すように、筒状体１５の下端外周に外筒３９を挿通し、更にストッパ１６を所定位置まで挿通した後、筒状体１５の上端をソケット１０の他方の端部に差し込み固定すると、仮設トイレ１が組み立てられることとなる。
一方、仮設トイレ１の分解や撤去は、上記と逆の手順にて行う。
【００１９】
次に、災害時用マンホール２０は、蓋体２５で設置枠２１が閉塞されていることから、蓋体２５を開いて排泄孔２２に、筒状体１５をストッパ１６が当接する位置まで挿入すると、災害時用マンホール２０に所定の高さで仮設トイレ１が設置されることとなる。この時、筒状体１５の下端外周には、外筒３９が挿通されていることから、排泄孔２２内周と筒状体１５外周との間が閉塞される状態となり、これらの間から尿４１が溢れ出すことや、臭いが上がってくることもない。
【００２０】
次に、逆流防止機構３０による、尿４１の逆流防止について説明する。
先ず初めに、図２示すように、受け部本体２内に小便をすると、尿４０が受け部本体２から筒状体１５内を流下する。そして、図４（ａ）に示すように、上側蓋部材３１の流入孔３２から球受け筒３４内に流入する。
その後、図４（ｂ）に示すように、一定量の尿４１が球受け筒３４内に溜まると、尿４１によって止水球３３が浮力で浮き上がり始める。更に尿４０が流入孔３２から球受け筒３４内に流入して尿４１の水位が上昇すると、止水球３３が弁３６に密着することとなる。この状態では、弁３６が止水球３３で閉塞された状態であり、尿４１が流入孔３２より上に溢れ出すことはなく、受け部本体２内に臭いが上がってくることもない。
【００２１】
そして、図５（ａ）に示すように、この状態から更に尿４０が筒状体１５内を流下すると、上側蓋部材３１の流入孔３２と、止水球３３との間に尿４５が溜まり始める。更に尿４０が筒状体１５内を流下すると、尿４５の自重で止水球３３が球受け筒３４内へと押し下げられ、弁３６から止水球３３が離れた状態になる。この時、図５（ｂ）に示すように、球受け筒３４には、排水孔３５，３５・・が穿設されていることから、球受け筒３４内に流入した尿４５が、排水孔３５，３５・・から流れ出て逆流防止機構３０より下方へ流下することとなる。
そして、尿４５が弁３６より下に流下し、尿４５の自重による止水球３３の押し下げがなくなると、また止水球３３が球受け筒３４内を浮き上がり、再度弁３６に密着することで、弁３６を止水球３３で閉塞した状態となる。以後、尿４０が筒状体１５内を流下し、尿４５によって止水球３３が球受け筒３４内で浮き沈みを繰り返すことにより、尿４０が仮設トイレ１内を流下することとなる。
【００２２】
上記の如く構成される仮設トイレ１は、受け部本体２は、展開形状が略縦長楕円形となる可撓性の板材からなり、下端左右に鍔部３と鍔受け部５とが設けられており、鍔部３を鍔受け部５に重ね合わせ、漏斗状に形成されてなることにより、仕切パネルや係止具が不要であり、設置や撤去、清掃作業が容易である。また、組み立てや分解が簡単であり、保管時には場所を取らない。
【００２３】
また、筒状体１５には、中央に流入孔３２が穿設される上側蓋部材３１と、この上側蓋部材３１に上端が取り付けられる球受け筒３４と、球受け筒３４の下端に取り付けられ、上側蓋部材３１より外径の小さい下側蓋部材３７と、球受け筒３４内に載置される止水球３３と、で少なくとも構成される逆流防止機構３０が設けられており、球受け筒３４には、止水球３３より上方の内周に亘って突出する弁３６が設けられると共に、その下方には排水孔３５，３５・・が穿設されており、球受け筒３４内に尿４０が流入して水位が上昇すると、止水球３３が浮き上がり、止水球３３で弁３６が閉塞され、流入孔３２と止水球３３との間に尿４５が溜まると、止水球３３が押し下げられて、この尿４５が球受け筒３４内に流入し、排水孔３５，３５・・から球受け筒３４外に流下することにより、尿４１の逆流を防止すると共に防臭機能を備えており、非常に衛生的である。
【００２４】
更に、筒状体１５外周には、災害時用マンホール２０に係止し、仮設トイレ１を所定の高さに設置可能とするストッパ１６が設けられることにより、仮設トイレ１を所定の高さに設置することが可能である。
【００２５】
なお、本発明にかかる仮設トイレは、上記した実施の形態に何ら限定されるものではなく、本発明の趣旨を逸脱しない範囲で、受け部本体や筒状体の形状、大きさ等を適宜変更することができる。
【００２６】
例えば、球受け筒３４には、外周を絞った凹状の首部３８が設けられているが、この首部３８は常に必要ではなく、止水球３３が弁３６を閉塞して尿４１の逆流を防止する形状であれば、外周に首部３８のない円筒形状や他の形状であっても良く、適宜変更可能である。
【００２７】
また、球受け筒３４の排水孔３５，３５・・は横長長方形状の孔であるが、必ずしもこの形状である必要はなく、円形の孔であっても良く、適宜変更可能である。更に、孔の数を増減させても良い。
【００２８】
他にも、受け部本体２とソケット１０とは、ボルトによって固定されているが、他の方法で固定しても良く、適宜変更可能である。更に、仮設トイレ１は、ソケット１０を介して受け部本体２と筒状体１５とを連結する構造であるが、筒状体１５に受け部本体２を直接取り付ける構造としても良い。
【００２９】
また、受け部本体２の鍔部３と鍔受け部５とは、蝶ネジ８，８・・を、孔４，４・・及び孔６，６・・に外側から挿入して裏側からナットを螺合することで固定し、受け部本体２を漏斗状に形成する構造であるが、蝶ネジ８で固定する必要はなく、仮設トイレ１として使用する際には、鍔受け部５に鍔部３を重ね合わせて固定する構造であれば良く、適宜変更可能である。
【００３０】
他にも、ストッパ１６は、仮設トイレ１を所定の高さに設置するだけでなく、このストッパ１６を掴んで仮設トイレ１を引き上げれば、災害時用トイレ２０からの取り外しを容易に行うことが可能である。
【符号の説明】
【００３１】
１・・仮設トイレ、２・・受け部本体、３・・鍔部、４・・孔、５・・鍔受け部、６・・孔、８・・蝶ネジ、１０・・ソケット、１５・・筒状体、１６・・ストッパ、２０・・災害時用マンホール、２１・・設置枠、２２・・排泄孔、２５・・蓋体、３０・・逆流防止機構、３１・・上側蓋部材、３２・・流入孔、３３・・止水球、３４・・球受け筒、３５・・排水孔、３６・・弁、３７・・下側蓋部材、３８・・首部、３９・・外筒、４０・・尿、４１・・尿（排水管本体内）、４５・・尿（止水球上方）。
【図１】
0006615633.tif 000002
【図２】
0006615633.tif 000003
【図３】
0006615633.tif 000004
【図４】
0006615633.tif 000005
【図５】
0006615633.tif 000006